【手続補正書】
【提出日】平成20年4月18日(2008.4.18)
【手続補正１】
【補正対象書類名】明細書
【補正対象項目名】特許請求の範囲
【補正方法】変更
【補正の内容】
【特許請求の範囲】
【請求項１】  １以上の水酸基を含有する有機化合物、カルボン酸無水物、アクリルアミド、又はそれらの組み合わせの親水性部位により一部が官能基化されたプロピレン含有ポリマーである基本成分；
エチレンとαオレフィンとのコポリマーの１以上、又はエチレンとαオレフィンとジエンとのターポリマーを含むポリマーである高靭性化剤成分であって、該αオレフィンがブテン、オクテン、又はその両者を含む、上記の高靭性化剤成分；
エラストマー系ブロックコポリマーの形態にある界面修飾剤；及び
充填剤；
を含むポリオレフィンブレンドであって：
プロピレン含有ポリマーの官能基化部が、ブレンドの半晶質部分内における充填剤の分散を増進するのに充分な量で存在し；
高靭性化剤が、ブレンドの低温衝撃特性を改良するのに充分な量で存在し、ただし約４０重量％未満であり；
界面修飾剤が、ブレンドのポリマー成分間の接着を助けるのに充分な量で存在し、ただし約３０重量％未満であり；
充填剤が、ブレンドの強度と硬度とを改良するのに充分な量で存在し、ただし約４０重量％未満である、
上記ポリオレフィンブレンド。
【請求項２】  プロピレン含有ポリマーが半晶質ポリプロピレンポリマーであり、ブレンドの−３０℃におけるアイゾッド衝撃強度が少なくとも約１ｆｔ−ｌｂ／ｉｎであり、曲げ弾性率が少なくとも約１７５ｋｐｓｉであり、メルトフローレート（２３０℃、２．１６ｋｇにおける）が少なくとも約１６ｄｇ／分であり、１８０°剥離で測定した剥離強度が少なくとも約７００Ｎ／ｍである、請求項１のブレンド。
【請求項３】  プロピレン含有ポリマーが半晶質ポリプロピレンポリマーであり、ブレンドの−３０℃におけるアイゾッド衝撃強度が少なくとも約１．５ｆｔ／ｌｂ／ｉｎであり、曲げ弾性率が少なくとも約１９０ｋｐｓｉであり、ロックウェルＲ硬度が少なくとも約７０であり、収縮率が約８ミル／インチ以下であり、１８０°剥離で測定した剥離強度が少なくとも約９００Ｎ／ｍである、請求項１のブレンド。
【請求項４】  基本成分が：ポリプロピレン、又はプロピレンと別のαオレフィンとのコポリマーである第一のプロピレン含有ポリマーと；親水性モノマーで官能基化された第二のプロピレン含有ポリマーと；を含む、請求項１のブレンド。
【請求項５】  親水性モノマーが無水マレイン酸、アクリル酸エステル、又はそれらの組み合わせである請求項４のブレンド。
【請求項６】  ブロックコポリマーが２つ、３つ又は４つのブロック成分を含むブロックコポリマーである請求項１のブレンド。
【請求項７】  ブロックコポリマーが、スチレン／（エチレン−ブチレン）／スチレン、スチレン／（エチレン−プロピレン）／スチレン、スチレン／（エチレン−ブチレン）、スチレン／（エチレン−プロピレン）、スチレン／ブテン／スチレン、スチレン／ブテン、スチレン／（エチレン−プロピレン）／スチレン／（エチレン−プロピレン）、スチレン／ブタジエン、及びスチレン／イソプレンのブロックを含有する請求項１のポリオレフィン系組成物。
【請求項８】    プロピレン含有ポリマーが約３３〜７５重量％の量で存在し、プロピレンの約１〜９．５重量％が官能基化され；
高靭性化成分が約１〜２５重量％の量で存在し；
界面修飾剤が約１〜３０重量％の量で存在し；
充填剤が約１〜３０重量％の量で存在する；請求項１のブレンド。
【請求項９】    プロピレン含有ポリマーが約３３〜７５重量％の量で存在し、プロピレンの約３〜９．５重量％が官能基化され；
高靭性化成分が約１０〜２０重量％の量で存在し；
界面修飾剤が約３〜１８重量％の量で存在し；
充填剤が約８〜２０重量％の量で存在する；請求項１のブレンド。
【請求項１０】  プロピレン含有ポリマーが約４０〜６０重量％の量で存在し；
親水性モノマーで官能基化されたプロピレン含有ポリマーが、１〜２０重量％の量で存在し；
界面修飾剤が約１〜２５重量％で存在し、
高靭性化成分が約１〜３０重量％の量で存在し；
充填剤が約１〜３０重量％の量で存在する；請求項４のブレンド。
【請求項１１】  プロピレン含有ポリマーが約４０〜６０重量％の量で存在し；
親水性モノマーで官能基化されたプロピレン含有ポリマーが、１〜２０重量％の量で存在し；
界面修飾剤が約３〜１８重量％で存在し、
高靭性化成分が約１〜２０重量％の量で存在し；
充填剤が約８〜２０重量％の量で存在する；請求項４のブレンド。
【請求項１２】  請求項１の組成物を有する成型ポリオレフィンブレンドを含む製造物。
【請求項１３】  請求項４の組成物を有する成型ポリオレフィンブレンドを含む製造物。
【請求項１４】  請求項１２の物体を含む自動車用製品部材。
【請求項１５】  請求項１３の物体を含む自動車用製品部材。
【請求項１６】  請求項１のポリオレフィンブレンドを製造物の望ましい構造及び形状に成型する工程を含む、製造物の作成方法。
【請求項１７】  請求項４のポリオレフィンブレンドを製造物の望ましい構造及び形状に成型する工程を含む、製造物の作成方法。
【請求項１８】  請求項１のポリオレフィンブレンドを製造物の望ましい構造及び形状に成型し、その製造物を自動車用部材として使用する工程を含む、成型自動車用製品作成方法。
【請求項１９】  請求項４のポリオレフィンブレンドを製造物の望ましい構造及び形状に成型し、その製造物を自動車用部材として使用する工程を含む、成型自動車用製品作成方法。
【請求項２０】  １以上の水酸基を含有する有機化合物、カルボン酸無水物、アクリルアミド、又はそれらの組み合わせの親水性部位により一部が官能基化されたプロピレン含有ポリマーから実質的になる基本成分；
エチレンとαオレフィンとのコポリマーの１以上、又はエチレンとαオレフィンとジエンとのターポリマーを含むポリマーである高靭性化成分であって、該αオレフィンがブテン、オクテン、又はその両者を含む、上記の高靭性化成分；
スチレン／（エチレン−ブテン）／スチレン、スチレン／（エチレン−プロピレン）／スチレン、スチレン／（エチレン−ブテン）、スチレン／（エチレン−プロピレン）、スチレン／ブテン／スチレン、スチレン／ブテン、スチレン／ブタジエン、スチレン／イソプレン、及びそれらの組み合わせを含むブロックの少なくとも一つを有するエラストマー系ブロックコポリマーの形態にある界面修飾剤；及び
充填剤；
を含むポリオレフィンブレンドであって：
プロピレン含有ポリマーの官能基化部が少なくとも約０．５％の量で存在し、高靱性化剤が約１〜４０重量％の量で存在し、界面修飾剤が約１〜３０重量％の量で存在し、充填剤が約１〜４０重量％の量で存在する、上記のポリオレフィンブレンド。
【請求項２１】  １以上の水酸基を含有する有機化合物、アクリルアミド、又はそれらの組み合わせの親水性部位により一部が官能基化されたプロピレン含有ポリマーである基本成分；
エチレンとαオレフィンとのコポリマーの１以上、又はエチレンとαオレフィンとジエンとのターポリマーを含むポリマーである高靭性化成分；
エラストマー系ブロックコポリマーの形態にある界面修飾剤；及び
充填剤；
を含むポリオレフィンブレンドであって：
プロピレン含有ポリマーの官能基化部が、ブレンドの半晶質部分内における充填剤の分散を増進するのに充分な量で存在し；
高靭性化剤が、ブレンドの低温衝撃特性を改良するのに充分な量で存在し、ただし約４０重量％未満であり；
界面修飾剤が、ブレンドのポリマー成分間の接着を助けるのに充分な量で存在し、ただし約３０重量％未満であり；
充填剤が、ブレンドの強度と硬度とを改良するのに充分な量で存在し、ただし約４０重量％未満である、
上記ポリオレフィンブレンド。
【請求項２２】  １以上の水酸基を含有する有機化合物、カルボン酸無水物、アクリル酸、アクリルアミド、アクリレート、又はそれらの組み合わせの親水性部位により一部が官能基化されたプロピレン含有ポリマーからなる基本成分；
エチレンとαオレフィンとのコポリマーの１以上、又はエチレンとαオレフィンとジエンとのターポリマーを含むポリマーである高靭性化剤成分であって、該αオレフィンがブテン、オクテン、又はその両者を含む、上記の高靭性化剤成分；
エラストマー系ブロックコポリマーの形態にある界面修飾剤；及び
充填剤；
を含むポリオレフィンブレンドであって：
プロピレン含有ポリマーの官能基化部が約１〜９．５重量％の量で存在してブレンドの半晶質部分内における充填剤の分散を促進し；
高靭性化剤が、ブレンドの低温衝撃特性を改良するのに充分な量で存在し、ただし約４０重量％未満であり；
界面修飾剤が、ブレンドのポリマー成分間の接着を助けるのに充分な量で存在し、ただし約３０重量％未満であり；
充填剤が、ブレンドの強度と硬度とを改良するのに充分な量で存在し、ただし約４０重量％未満である、
上記ポリオレフィンブレンド。